(57)【要約】【課題】複数の表示装置へ画像を送信可能な環境において、利便性のよい環境を提供することを可能とする画像処理システム、コンテンツ再生装置および画像処理方法を提供する。【解決手段】コンテンツ再生装置は、コンテンツ再生装置の動作状態に応じた画像を、第１表示装置へ送信し、第１表示装置は、コンテンツ再生装置から送信された画像を表示する。コンテンツ再生装置は、第１表示装置から、画像の送信の中断を指示する中断指示を受信した場合、制御装置を識別するための識別情報と、中断指示を受信したときのコンテンツ再生装置の動作状態を示す状態情報とを対応付けて記憶する。コンテンツ再生装置は、識別情報を受信した場合、記憶されている状態情報が示すコンテンツ再生装置の動作状態に応じた画像を、第２表示装置へ送信し、第２表示装置は、コンテンツ再生装置から送信された画像を表示する。【選択図】図５
2009253749.tif 000002
【特許請求の範囲】
【請求項１】
制御装置によって制御されるコンテンツ再生装置と、第１および第２表示装置とを含む画像処理システムであって、
前記コンテンツ再生装置は、
前記制御装置を識別するための識別情報を記憶する記憶手段と、
前記コンテンツ再生装置の動作状態に応じた画像を、前記第１表示装置へ送信する送信手段とを備え、
前記第１表示装置は、
前記コンテンツ再生装置から送信された画像を表示する第１表示手段と、
画像の送信の中断を指示する中断指示を、前記コンテンツ再生装置へ送信する表示装置送信手段とを備え、
前記コンテンツ再生装置は、さらに、
前記中断指示を受信する受信手段と、
前記受信手段が前記中断指示を受信した場合、前記識別情報と、前記中断指示を受信したときの前記コンテンツ再生装置の動作状態を示す状態情報とを対応付けて前記記憶手段に記憶させる格納手段とを備え、
前記コンテンツ再生装置の前記送信手段は、前記受信手段が前記識別情報を受信した場合、前記記憶手段に記憶されている前記状態情報が示す前記コンテンツ再生装置の動作状態に応じた画像を、前記第２表示装置へ送信し、
前記第２表示装置は、
前記コンテンツ再生装置から送信された画像を表示する第２表示手段を備える、画像処理システム。
【請求項２】
前記受信手段は、前記第２表示装置から前記識別情報を受信する、請求項１に記載の画像処理システム。
【請求項３】
前記コンテンツ再生装置は、前記第２表示装置と、ＨＤＭＩ（High-Definition Multimedia Interface）の規格に基づくケーブルを使用して通信し、
前記受信手段は、前記第２表示装置から前記ケーブルを介して、前記識別情報を受信する、請求項２に記載の画像処理システム。
【請求項４】
前記コンテンツ再生装置は、さらに、
前記識別情報を生成する識別情報生成手段を備え、
前記記憶手段に記憶されている前記識別情報は、前記識別情報生成手段により生成された情報である、請求項１〜３のいずれかに記載の画像処理システム。
【請求項５】
前記受信手段は、前記制御装置から送信される前記識別情報を無線通信により受信し、
前記記憶手段に記憶されている前記識別情報は、前記受信手段が前記制御装置から受信した情報である、請求項１〜３のいずれかに記載の画像処理システム。
【請求項６】
前記受信手段は、前記制御装置から送信される前記識別情報と、前記制御装置から送信される、前記第１表示装置を識別するための表示装置識別情報とを受信し、
前記記憶手段に記憶されている前記識別情報は、前記受信手段が前記制御装置から受信した情報である、請求項１〜３のいずれかに記載の画像処理システム。
【請求項７】
前記第１表示装置の前記表示装置送信手段は、前記中断指示と、前記第１表示装置の動作状態を示す表示装置状態情報とを、前記コンテンツ再生装置へ送信し、
前記コンテンツ再生装置の前記受信手段は、前記中断指示および前記表示装置状態情報を受信し、
前記格納手段は、前記受信手段が前記中断指示を受信した場合、前記識別情報と、前記中断指示を受信したときの前記コンテンツ再生装置の動作状態を示す状態情報と、前記表示装置状態情報とを対応付けて前記記憶手段に記憶させる、請求項１〜３のいずれかに記載の画像処理システム。
【請求項８】
制御装置によって制御される再生装置であって、受信した画像を表示する第１および第２表示装置と通信するコンテンツ再生装置であって、
前記制御装置を識別するための識別情報を記憶する記憶手段と、
前記コンテンツ再生装置の動作状態に応じた画像を、前記第１表示装置へ送信する送信手段と、
前記第１表示装置への画像の送信の中断を指示する中断指示を受信する受信手段と、
前記受信手段が前記中断指示を受信した場合、前記識別情報と、前記中断指示を受信したときの前記コンテンツ再生装置の動作状態を示す状態情報とを対応付けて前記記憶手段に記憶させる格納手段とを備え、
前記送信手段は、前記受信手段が前記識別情報を受信した場合、前記記憶手段に記憶されている前記状態情報が示す前記コンテンツ再生装置の動作状態に応じた画像を、前記第２表示装置へ送信する、コンテンツ再生装置。
【請求項９】
制御装置によって制御される装置であって、前記制御装置を識別するための識別情報を記憶する記憶部を備えるコンテンツ再生装置と、第１および第２表示装置とを含む画像処理システムにおいて行なわれる画像処理方法であって、
前記コンテンツ再生装置が、前記コンテンツ再生装置の動作状態に応じた画像を、前記第１表示装置へ送信するステップと、
前記第１表示装置が、前記コンテンツ再生装置から送信された画像を表示するステップと、
前記第１表示装置が、画像の送信の中断を指示する中断指示を、前記コンテンツ再生装置へ送信するステップと、
前記コンテンツ再生装置が、前記中断指示を受信するステップと、
前記コンテンツ再生装置が、前記中断指示を受信した場合、前記識別情報と、前記中断指示を受信したときの前記コンテンツ再生装置の動作状態を示す状態情報とを対応付けて前記記憶部に記憶させるステップと、
前記コンテンツ再生装置が、前記識別情報を受信した場合、前記記憶部に記憶されている前記状態情報が示す前記コンテンツ再生装置の動作状態に応じた画像を、前記第２表示装置へ送信するステップと、
前記第２表示装置が、前記コンテンツ再生装置から送信された画像を表示するステップとを備える、画像処理方法。
【発明の詳細な説明】
【技術分野】
【０００１】
本発明は、画像処理システム、コンテンツ再生装置および画像処理方法に関し、特に、画像の表示制御を行なうための処理を行なう画像処理システム、コンテンツ再生装置および画像処理方法に関する。
【背景技術】
【０００２】
近年、多種多様な装置と接続可能な家電製品が普及しつつある。
特開２００５−２７８１０６号公報（特許文献１）には、寝室にあるテレビと、リビングにあるハードディスクレコーダとがネットワークを介して接続されている環境において、寝室にあるテレビを操作することにより、リビングにあるハードディスクレコーダを操作するための技術（以下、第１の先行技術ともいう）が開示されている。
【特許文献１】特開２００５−２７８１０６号公報
【発明の開示】
【発明が解決しようとする課題】
【０００３】
多種多様な装置と接続可能な家電製品は、一例として、複数の表示装置へ画像を送信可能なコンテンツ再生装置である。表示装置は、たとえば、テレビジョン受信機である。コンテンツ再生装置は、たとえば、ＰＣ（Personal Computer）、ＢＤ（Blu-ray Disc）レコーダー等である。ここで、コンテンツ再生装置は、表示装置Ａおよび表示装置Ｂへ画像を送信可能なように構成されているとする。また、コンテンツ再生装置は、表示装置Ａへ画像を送信しているとする。
【０００４】
この場合、コンテンツ再生装置が、表示装置Ａへの画像の送信を中断するための指示を受信したときのコンテンツ再生装置の動作状態に応じた画像を、表示装置Ａとは別の表示装置Ｂに表示させることを要求されることがある。この要求がなされる場合の一例は、部屋Ａ内にある表示装置Ａに表示される画像を見て、コンテンツ再生装置の操作を行なっているユーザが、部屋Ｂへ移動する必要が生じ、当該ユーザが、部屋Ｂ内にある表示装置Ｂに表示される画像を見て、コンテンツ再生装置の操作の続きを行なう場合である。第１の先行技術では、このような要求を満たすための技術は開示されていない。
【０００５】
本発明は、上述の問題点を解決するためになされたものであって、その目的は、複数の表示装置へ画像を送信可能な環境において、利便性のよい環境を提供することを可能とする画像処理システム、コンテンツ再生装置および画像処理方法を提供することである。
【課題を解決するための手段】
【０００６】
上述の課題を解決するために、この発明のある局面に従うと、制御装置によって制御されるコンテンツ再生装置と、第１および第２表示装置とを含む画像処理システムであって、コンテンツ再生装置は、制御装置を識別するための識別情報を記憶する記憶手段と、コンテンツ再生装置の動作状態に応じた画像を、第１表示装置へ送信する送信手段とを備え、第１表示装置は、コンテンツ再生装置から送信された画像を表示する第１表示手段と、画像の送信の中断を指示する中断指示を、コンテンツ再生装置へ送信する表示装置送信手段とを備え、コンテンツ再生装置は、さらに、中断指示を受信する受信手段と、受信手段が中断指示を受信した場合、識別情報と、中断指示を受信したときのコンテンツ再生装置の動作状態を示す状態情報とを対応付けて記憶手段に記憶させる格納手段とを備え、コンテンツ再生装置の送信手段は、受信手段が識別情報を受信した場合、記憶手段に記憶されている状態情報が示すコンテンツ再生装置の動作状態に応じた画像を、第２表示装置へ送信し、第２表示装置は、コンテンツ再生装置から送信された画像を表示する第２表示手段を備える。
【０００７】
好ましくは、受信手段は、第２表示装置から識別情報を受信する。
好ましくは、コンテンツ再生装置は、第２表示装置と、ＨＤＭＩ（High-Definition Multimedia Interface）の規格に基づくケーブルを使用して通信し、受信手段は、第２表示装置からケーブルを介して、識別情報を受信する。
【０００８】
好ましくは、コンテンツ再生装置は、さらに、識別情報を生成する識別情報生成手段を備え、記憶手段に記憶されている識別情報は、識別情報生成手段により生成された情報である。
【０００９】
好ましくは、受信手段は、制御装置から送信される識別情報を無線通信により受信し、記憶手段に記憶されている識別情報は、受信手段が制御装置から受信した情報である。
【００１０】
好ましくは、受信手段は、制御装置から送信される識別情報と、制御装置から送信される、第１表示装置を識別するための表示装置識別情報とを受信し、記憶手段に記憶されている識別情報は、受信手段が制御装置から受信した情報である。
【００１１】
好ましくは、第１表示装置の表示装置送信手段は、中断指示と、第１表示装置の動作状態を示す表示装置状態情報とを、コンテンツ再生装置へ送信し、コンテンツ再生装置の受信手段は、中断指示および表示装置状態情報を受信し、格納手段は、受信手段が中断指示を受信した場合、識別情報と、中断指示を受信したときのコンテンツ再生装置の動作状態を示す状態情報と、表示装置状態情報とを対応付けて記憶手段に記憶させる。
【００１２】
この発明の他の局面に従うと、制御装置によって制御される再生装置であって、受信した画像を表示する第１および第２表示装置と通信するコンテンツ再生装置は、制御装置を識別するための識別情報を記憶する記憶手段と、コンテンツ再生装置の動作状態に応じた画像を、第１表示装置へ送信する送信手段と、第１表示装置への画像の送信の中断を指示する中断指示を受信する受信手段と、受信手段が中断指示を受信した場合、識別情報と、中断指示を受信したときのコンテンツ再生装置の動作状態を示す状態情報とを対応付けて記憶手段に記憶させる格納手段とを備え、送信手段は、受信手段が識別情報を受信した場合、記憶手段に記憶されている状態情報が示すコンテンツ再生装置の動作状態に応じた画像を、第２表示装置へ送信する。
【００１３】
この発明のさらに他の局面に従うと、制御装置によって制御される装置であって、制御装置を識別するための識別情報を記憶する記憶部を備えるコンテンツ再生装置と、第１および第２表示装置とを含む画像処理システムにおいて行なわれる画像処理方法は、コンテンツ再生装置が、コンテンツ再生装置の動作状態に応じた画像を、第１表示装置へ送信するステップと、第１表示装置が、コンテンツ再生装置から送信された画像を表示するステップと、第１表示装置が、画像の送信の中断を指示する中断指示を、コンテンツ再生装置へ送信するステップと、コンテンツ再生装置が、中断指示を受信するステップと、コンテンツ再生装置が、中断指示を受信した場合、識別情報と、中断指示を受信したときのコンテンツ再生装置の動作状態を示す状態情報とを対応付けて記憶部に記憶させるステップと、コンテンツ再生装置が、識別情報を受信した場合、記憶部に記憶されている状態情報が示すコンテンツ再生装置の動作状態に応じた画像を、第２表示装置へ送信するステップと、第２表示装置が、コンテンツ再生装置から送信された画像を表示するステップとを備える。
【発明の効果】
【００１４】
本発明に係る画像処理システムにおいて、コンテンツ再生装置は、コンテンツ再生装置の動作状態に応じた画像を、第１表示装置へ送信する。第１表示装置は、コンテンツ再生装置から送信された画像を表示する。コンテンツ再生装置は、第１表示装置から、画像の送信の中断を指示する中断指示を受信した場合、制御装置を識別するための識別情報と、中断指示を受信したときのコンテンツ再生装置の動作状態を示す状態情報とを対応付けて記憶する。コンテンツ再生装置は、識別情報を受信した場合、記憶されている状態情報が示すコンテンツ再生装置の動作状態に応じた画像を、第２表示装置へ送信し、第２表示装置は、コンテンツ再生装置から送信された画像を表示する。
【００１５】
したがって、複数の表示装置へ画像を送信可能な環境において、利便性のよい環境を提供することができるという効果を奏する。
【００１６】
本発明に係るコンテンツ再生装置は、制御装置によって制御され、受信した画像を表示する第１および第２表示装置と通信する。コンテンツ再生装置は、コンテンツ再生装置の動作状態に応じた画像を、第１表示装置へ送信する。コンテンツ再生装置は、第１表示装置への画像の送信の中断を指示する中断指示を受信した場合、制御装置を識別するための識別情報と、中断指示を受信したときのコンテンツ再生装置の動作状態を示す状態情報とを対応付けて記憶する。コンテンツ再生装置は、識別情報を受信した場合、記憶されている状態情報が示すコンテンツ再生装置の動作状態に応じた画像を、第２表示装置へ送信する。
【００１７】
したがって、複数の表示装置へ画像を送信可能な環境において、利便性のよい環境を提供することができるという効果を奏する。
【００１８】
本発明に係る画像処理方法は、コンテンツ再生装置が、コンテンツ再生装置の動作状態に応じた画像を、第１表示装置へ送信する。第１表示装置が、コンテンツ再生装置から送信された画像を表示する。コンテンツ再生装置は、第１表示装置から、画像の送信の中断を指示する中断指示を受信した場合、制御装置を識別するための識別情報と、中断指示を受信したときのコンテンツ再生装置の動作状態を示す状態情報とを対応付けて記憶する。コンテンツ再生装置は、識別情報を受信した場合、記憶されている状態情報が示すコンテンツ再生装置の動作状態に応じた画像を、第２表示装置へ送信し、第２表示装置は、コンテンツ再生装置から送信された画像を表示する。
【００１９】
したがって、複数の表示装置へ画像を送信可能な環境において、利便性のよい環境を提供することができるという効果を奏する。
【発明を実施するための最良の形態】
【００２０】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２１】
＜第１の実施の形態＞
（システムの構成）
図１は、本実施の形態における画像処理システム１０００の構成を示す図である。図１を参照して、画像処理システム１０００は、コンテンツ再生装置６００と、表示装置７００．１と、制御装置４００と、リモートコントローラー３００とを含む。コンテンツ再生装置６００、表示装置７００．１、制御装置４００およびリモートコントローラー３００は、部屋６０１内にあるとする。
【００２２】
コンテンツ再生装置６００は、ＰＣ（Personal Computer）であるとする。なお、コンテンツ再生装置６００は、ＰＣに限定されることなく、コンテンツを生成可能な装置であれば、どのような装置であってもよい。コンテンツ再生装置６００は、たとえば、ゲーム機、ＢＤ（Blu-ray Disc）レコーダーであってもよい。
【００２３】
表示装置７００．１は、テレビジョン受信機である。なお、表示装置７００．１は、テレビジョン受信機に限定されることなく、画像を表示することが可能な装置であれば、どのような装置であってもよい。表示装置７００．１は、たとえば、モニターであってもよい。
【００２４】
制御装置４００は、コンテンツ再生装置６００を制御するための装置である。コンテンツ再生装置６００が、ＰＣである場合、制御装置４００は、たとえば、キーボードである。また、コンテンツ再生装置６００が、ゲーム機である場合、制御装置４００は、たとえば、ゲーム機としてのコンテンツ再生装置６００を制御するためのコントローラーである。また、コンテンツ再生装置６００が、ＢＤレコーダーである場合、制御装置４００は、たとえば、コンテンツ再生装置６００を制御するためのリモートコントローラーである。
【００２５】
リモートコントローラー３００は、表示装置７００．１を制御するための装置である。
コンテンツ再生装置６００は、無線技術Ａを利用して、制御装置４００と通信する機能を有する。無線技術Ａは、たとえば、Bluetooth（登録商標）の規格に基づく技術である。なお、無線技術Ａは、Bluetooth（登録商標）の規格に基づく技術に限定されることなく、他の技術であってもよい。無線技術Ａは、たとえば、赤外線を使用した技術であってもよい。
【００２６】
コンテンツ再生装置６００は、ＨＤＭＩケーブルにより、表示装置７００．１と接続される。ＨＤＭＩケーブルは、ＨＤＭＩ（High-Definition Multimedia Interface）規格に準拠するケーブルである。したがって、コンテンツ再生装置６００と、表示装置７００．１とは、互いにデータ通信可能である。なお、コンテンツ再生装置６００と、表示装置７００．１とを接続するケーブルは、ＨＤＭＩケーブルに限定されることなく、データを伝送可能なケーブルであればどのようなケーブルであってもよい。また、コンテンツ再生装置６００は、ＰＬＣ（Power Line Communications）（電力線搬送通信）により、表示装置７００．１とデータ通信可能なように構成されてもよい。
【００２７】
表示装置７００．１は、前述した無線技術Ａを利用して、制御装置４００と通信する機能を有する。また、リモートコントローラー３００は、前述した無線技術Ａを利用して、表示装置７００．１と通信する機能を有する。
【００２８】
画像処理システム１０００は、さらに、表示装置７００．２を含む。表示装置７００．２は、部屋６０１とは別の部屋６０２内にあるとする。
【００２９】
表示装置７００．２は、表示装置７００．１と同様な装置なので詳細な説明は繰り返さない。コンテンツ再生装置６００は、ＨＤＭＩケーブルにより、表示装置７００．２と接続される。したがって、コンテンツ再生装置６００と、表示装置７００．２とは、互いにデータ通信可能である。なお、コンテンツ再生装置６００と、表示装置７００．２とを接続するケーブルは、ＨＤＭＩケーブルに限定されることなく、データを伝送可能なケーブルであればどのようなケーブルであってもよい。また、コンテンツ再生装置６００は、ＰＬＣ（電力線搬送通信）により、表示装置７００．２とデータ通信可能なように構成されてもよい。
【００３０】
以下においては、表示装置７００．１および表示装置７００．２の各々を、総括的に、表示装置７００ともいう。
【００３１】
（コンテンツ再生装置）
次に、コンテンツ再生装置６００について詳細に説明する。
【００３２】
図２は、コンテンツ再生装置６００の内部構成を示したブロック図である。なお、図２には、説明のために、記録媒体５５５Ａも示している。記録媒体５５５Ａには、後述するプログラム１８０Ａが記録されている。すなわち、プログラム１８０Ａは、媒体等に記録されてプログラム製品として流通される。また、記録媒体５５５Ａもプログラム製品として流通される。
【００３３】
図２を参照して、コンテンツ再生装置６００は、制御部６１０と、記憶部６２０とを備える。記憶部６２０は、データを不揮発的に記憶する機能を有する。記憶部６２０は、制御部６１０によってデータアクセスされる。記憶部６２０は、ハードディスクである。なお、記憶部６２０は、ハードディスクに限定されることなく、データを不揮発的に記憶する機能を有するメモリであってもよい。記憶部６２０には、プログラム１８０Ａ、その他の各種データ等が記憶されている。なお、記憶部６２０は、データを揮発的に記憶するメモリであってもよい。
【００３４】
制御部６１０は、記憶部６２０に記憶されたプログラム１８０Ａに従って、コンテンツ再生装置６００内の各部に対する各種処理や、演算処理等を行なう機能を有する。制御部６１０は、ＣＰＵ（Central Processing Unit）である。なお、制御部６１０は、ＣＰＵに限定されることなく、演算機能を有するその他の回路であってもよい。
【００３５】
コンテンツ再生装置６００は、さらに、入力部６４０と、記録媒体アクセス部６５０とを備える。
【００３６】
入力部６４０は、図示されない複数のボタンを含む。複数のボタンは、コンテンツ再生装置６００の外部に設けられている。複数のボタンのうち、いずれかのボタンがユーザにより押下操作されると、入力部６４０は、押下操作されたボタンに対応するボタン信号を、制御部６１０へ送信する。制御部６１０は、受信したボタン信号に基づいて、所定の処理を行なう。
【００３７】
記録媒体アクセス部６５０は、プログラム１８０Ａが記録された記録媒体５５５Ａから、プログラム１８０Ａを読出す機能を有する。記録媒体５５５Ａに記憶されているプログラム１８０Ａは、制御部６１０のインストール処理により、記録媒体アクセス部６５０により読み出され、制御部６１０が、プログラム１８０Ａを、記憶部６２０に記憶させる。
【００３８】
記録媒体５５５Ａは、ＳＤメモリーカードである。なお、記録媒体５５５は、ＳＤメモリーカードに限定されることなく、データを不揮発的に記録可能なその他の媒体であってもよい。
【００３９】
コンテンツ再生装置６００は、さらに、通信部６６０と、通信部６６２とを備える。
通信部６６０は、制御部６１０とデータ通信を行なう。また、通信部６６０は、制御装置４００と、前述した無線技術Ａを利用して、データ通信を行なう機能を有する。
【００４０】
通信部６６２は、制御部６１０と、データ通信を行なう。通信部６６２は、有線技術Ｂまたは無線技術Ｂを利用して、ネットワーク７０とデータ通信を行なう機能を有する。ネットワーク７０は、インターネットなどの広域なネットワークである。有線技術Ｂは、たとえば、イーサネット（登録商標）に基づく技術である。無線技術Ｂは、たとえば、ＩＥＥＥ８０２．１１ｇに基づく技術である。
【００４１】
したがって、本実施の形態におけるコンテンツ再生装置６００は、ネットワーク７０から、通信部６６２を介して、プログラムのダウンロード処理を行ない、記憶部６２０に格納することもできる。この場合、当該ダウンロードしたプログラムは、プログラム１８０Ａである。制御部６１０は、ネットワーク７０からダウンロードしたプログラム（プログラム１８０Ａ）に従って、所定の処理を行なう。
【００４２】
コンテンツ再生装置６００は、さらに、通信部６６４を備える。通信部６６４は、制御部６１０と、データ通信を行なう。通信部６６４は、有線により、外部装置とデータ通信を行なう機能を有する。通信部６６４には、ＨＤＭＩケーブルにより、表示装置７００．１と、表示装置７００．２とが接続される。したがって、制御部６１０は、通信部６６４を介して、表示装置７００．１および表示装置７００．２の各々とデータ通信する。なお、通信部６６４と、表示装置７００．１および表示装置７００．２の各々とを接続するケーブルは、ＨＤＭＩケーブルに限定されることなく、データを伝送可能なケーブルであればどのようなケーブルであってもよい。
【００４３】
（表示装置）
次に、表示装置７００（表示装置７００．１、表示装置７００．２）について詳細に説明する。
【００４４】
図３は、表示装置７００の内部構成を示したブロック図である。図３を参照して、表示装置７００は、表示部７３０を備える。表示部７３０には、文字や画像等を表示する表示面が設けられる。表示部７３０は、ＬＣＤパネル（Liquid Crystal Display Panel）を使用した装置である。なお、表示部７３０は、上記以外の表示方式のパネルを使用した装置であってもよい。
【００４５】
表示部７３０の表示面の解像度は、横１９２０（ドット）×縦１０８０（ドット）の解像度である。なお、表示部７３０の表示面の解像度は、横１９２０（ドット）×縦１０８０（ドット）に限定されることなく、他の解像度であってもよい。
【００４６】
表示装置７００は、制御部７１０と、記憶部７２０とを備える。記憶部７２０は、データを不揮発的に記憶する機能を有する。記憶部７２０は、制御部７１０によってデータアクセスされる。記憶部７２０は、ハードディスクである。なお、記憶部７２０は、ハードディスクに限定されることなく、データを不揮発的に記憶する機能を有するメモリであってもよい。記憶部７２０には、プログラム１８０Ｂが記憶されている。
【００４７】
制御部７１０は、記憶部７２０に記憶されたプログラム１８０Ｂに従って、表示装置７００内の各部に対する各種処理や、演算処理等を行なう機能を有する。制御部７１０は、前述の制御部６１０と同様なものであるので詳細な説明は繰り返さない。
【００４８】
表示装置７００は、さらに、アンテナ７０２と、チューナ７０５と、データ処理部７０７とを備える。
【００４９】
アンテナ７０２は、チューナ７０５と接続されている。チューナ７０５は、制御部７１０により指示された周波数の放送信号を、アンテナ７０２を介して受信する。チューナ７０５は、デジタル放送に基づく放送信号およびアナログ放送に基づく放送信号を受信する機能を有する。チューナ７０５は、受信した放送信号を、データ処理部７０７へ送信する。
【００５０】
データ処理部７０７は、制御部７１０から、表示部７３０に画像を表示させるための表示指示を受信すると、受信した放送信号から画像データを取得し、当該画像データを、表示部７３０へ送信する。表示部７３０は、画像データを受信すると、画像データに基づく画像（動画像または静止画像）を表示する。以下においては、チューナ７０５が受信した放送信号に基づく画像であって、かつ、表示部７３０に表示される画像を、ＴＶ画像ともいう。
【００５１】
表示装置７００は、さらに、入力部７４０を備える。
入力部７４０は、図示されない複数のボタンを含む。複数のボタンは、表示装置７００の外部に設けられている。複数のボタンのうち、いずれかのボタンがユーザにより押下操作されると、入力部７４０は、押下操作されたボタンに対応するボタン信号を、制御部７１０へ送信する。制御部７１０は、受信したボタン信号に基づいて、所定の処理を行なう。
【００５２】
表示装置７００は、さらに、通信部７６０と、通信部７６４とを備える。
通信部７６０は、制御部７１０とデータ通信を行なう。また、通信部７６０は、制御装置４００と、前述した無線技術Ａを利用して、データ通信を行なう機能を有する。
【００５３】
通信部７６４は、制御部７１０と、データ通信を行なう。通信部７６４は、有線により、外部装置とデータ通信を行なう機能を有する。通信部７６４は、ＨＤＭＩケーブルにより、コンテンツ再生装置６００と接続される。したがって、制御部７１０は、通信部７６４を介して、コンテンツ再生装置６００とデータ通信する。なお、通信部７６４と、コンテンツ再生装置６００の各々とを接続するケーブルは、ＨＤＭＩケーブルに限定されることなく、データを伝送可能なケーブルであればどのようなケーブルであってもよい。
【００５４】
表示装置７００は、さらに、音声出力部７７０を備える。音声出力部７７０は、表示装置７００の外部に設けられるスピーカである。音声出力部７７０は、制御部７１０から受信した音声データに基づく音声を出力する。
【００５５】
表示装置７００は、さらに、ＲＣ信号受信部７８０を備える。ＲＣ信号受信部７８０は、リモートコントローラー３００から出力される、表示装置７００を制御するためのリモートコントロール信号（以下、ＲＣ信号ともいう）を受信する機能を有する。ＲＣ信号受信部７８０は、受信したＲＣ信号を制御部７１０へ送信する。制御部７１０は、受信したＲＣ信号に応じて、対応する処理を行なう。
【００５６】
なお、以下においては、制御装置４００から送信される、表示装置７００を制御するためのリモートコントロール信号も、ＲＣ信号という。この場合、通信部７６０が、制御装置４００から送信されたＲＣ信号を受信し、受信したＲＣ信号を制御部７１０へ送信する。制御部７１０は、受信したＲＣ信号に応じて、対応する処理を行なう。
【００５７】
ここで、表示装置７００は、図示しない電源から、自装置が動作するための動作電圧の供給を受ける。表示装置７００は、図示しない、主電源スイッチおよび画像表示電源スイッチを備える。主電源スイッチは、表示装置７００がＲＣ信号を受信するための各部と、表示装置７００が外部装置と通信を行なうための各部とを少なくとも動作させるための動作電圧（以下、メイン電圧ともいう）の供給の有無を切換えるためのスイッチである。画像表示電源スイッチは、表示部７３０に画像を表示させるための各部を動作させるための動作電圧（以下、画像表示電圧ともいう）の供給の有無を切換えるためのスイッチである。
【００５８】
ここで、表示装置７００の動作モードは、通常モードと、待機モードとを有する。主電源スイッチおよび画像表示電源スイッチがオンである場合、表示装置７００の動作モードは、通常モードとなる。この場合、動作モードが通常モードである表示装置７００には、メイン電圧および画像表示電圧が供給される。主電源スイッチがオンであり、画像表示電源スイッチがオフである場合、表示装置７００の動作モードは、待機モードとなる。動作モードが待機モードである表示装置７００には、画像表示電圧が供給されず、メイン電圧が供給される。したがって、動作モードが待機モードである表示装置７００は、表示部７３０に画像を表示できない状態となる。すなわち、動作モードが待機モードである表示装置７００は、表示部７３０に画像が表示されていない状態である。主電源スイッチおよび画像表示電源スイッチの各々のオン、オフの制御は、制御部７１０が行なう。
【００５９】
また、動作モードが通常モードである表示装置７００の表示モードは、ＴＶモードと、外部画像表示モードとを有する。ＴＶモードは、前述したＴＶ画像を表示部７３０に表示するためのモードである。外部画像表示モードは、外部装置から受信した映像信号に基づく画像（以下、外部画像ともいう）を表示部７３０に表示するためのモードである。表示装置７００は、外部装置から、表示モード切替ＲＣ信号を受信する毎に、ＴＶモードと、外部画像表示モードとを交互に切替える。表示モード切替ＲＣ信号は、表示装置７００の表示モードとしての、ＴＶモードと、外部画像表示モードとを交互に切替えるためのＲＣ信号である。表示モード切替ＲＣ信号は、ユーザがリモートコントローラー３００を操作することにより、リモートコントローラー３００が送信可能な信号であるとする。
【００６０】
表示装置７００は、表示モード切替ＲＣ信号を受信すると、自装置へ映像信号を送信している再生装置６００へ、切替信号を送信する。切替信号は、表示装置７００の表示モードが切替えられたことを報知するための信号である。切替信号を受信した再生装置６００は、表示装置７００への映像信号の送信を停止する。すなわち、切替信号は、自装置への映像信号の送信を中断させるための指示（以下、中断指示ともいう）としての信号である。
【００６１】
（制御装置）
次に、制御装置４００について詳細に説明する。
【００６２】
図４は、制御装置４００の内部構成を示したブロック図である。図４を参照して、制御装置４００は、制御部４１０と、記憶部４２０とを備える。
【００６３】
記憶部４２０は、データを不揮発的に記憶するメモリである。記憶部４２０は、制御部４１０によってデータアクセスされる。記憶部４２０は、たとえば、フラッシュメモリである。記憶部４２０には、プログラム１８０Ｃが記憶されている。
【００６４】
制御部４１０は、記憶部４２０に記憶されたプログラム１８０Ｃに従って、制御装置４００内の各部に対する各種処理や、演算処理等を行なう機能を有する。制御部４１０は、前述の制御部６１０と同様なものであるので詳細な説明は繰り返さない。
【００６５】
入力部４４０は、図示されない複数のボタンを含む。複数のボタンは、制御装置４００の外部に設けられている。複数のボタンのうち、いずれかのボタンがユーザにより押下操作されると、入力部４４０は、押下操作されたボタンに対応するボタン信号を、制御部４１０へ送信する。制御部４１０は、受信したボタン信号に基づいて、所定の処理を行なう。
【００６６】
制御装置４００は、さらに、通信部４６０を備える。
通信部４６０は、制御部４１０とデータ通信を行なう。また、通信部４６０は、コンテンツ再生装置６００および表示装置７００の各々と、前述した無線技術Ａを利用して、データ通信を行なう機能を有する。
【００６７】
（表示処理）
次に、ある表示装置（以下、表示装置Ａともいう）に表示していた画像を、表示装置Ａとは別の表示装置に表示するための処理について説明する。以下においては、表示装置７００．１および表示装置７００．２を、それぞれ、表示装置Ａおよび表示装置Ｂともいう。
【００６８】
ここで、コンテンツ再生装置６００は、ＰＣであるとする。この場合、制御装置４００は、たとえば、キーボードであるとする。また、コンテンツ再生装置６００は、コンテンツ再生装置６００の動作状態に応じた画像（以下、再生装置画像ともいう）を、ＨＤＭＩケーブルを介して、表示装置Ａへ送信しているとする。再生装置画像は、静止画像および動画像のいずれであってもよい。また、表示装置Ａの表示モードは、外部画像表示モードであるとする。以下においては、コンテンツ再生装置６００が、ＰＣである場合、前述の再生装置画像を、ＰＣ画像ともいう。
【００６９】
まず、表示装置Ａの表示部７３０に表示されている画像を、ＴＶ画像に切替えるための処理（以下、表示切替処理ともいう）について説明する。
【００７０】
図５は、表示切替処理のフローチャートである。図５は、表示装置Ａ、コンテンツ再生装置６００および制御装置４００の各々において行なわれる処理を示す。
【００７１】
表示切替処理において、表示装置Ａでは、まず、ステップＳ１１０の処理が行なわれる。
【００７２】
ステップＳ１１０では、画像表示処理Ｎが行なわれる。画像表示処理Ｎでは、制御部７１０が、コンテンツ再生装置６００から送信される再生装置画像を、表示部７３０に表示する。ここで、コンテンツ再生装置６００は、ＰＣであるとする。この場合、表示部７３０に表示される再生装置画像は、ＰＣ画像である。そして、ステップＳ１１１に進む。
【００７３】
ステップＳ１１１では、制御部７１０が、外部装置から、表示モード切替指示としての表示モード切替ＲＣ信号を受信したか否かを判定する。ステップＳ１１１において、ＹＥＳならば、ステップＳ１１２に進む。一方、ステップＳ１１１において、ＮＯならば、再度、ステップＳ１１１の処理が行なわれる。
【００７４】
ここでは、部屋６０１内において、リモートコントローラー３００が、表示モード切替ＲＣ信号を、表示装置Ａへ送信するための操作を、ユーザがリモートコントローラー３００により行なったとする。すなわち、ユーザによる、リモートコントローラー３００の操作により、制御部７１０が、リモートコントローラー３００から表示モード切替ＲＣ信号を受信したとする。この場合、ステップＳ１１１において、ＹＥＳと判定され、ステップＳ１１２に進む。
【００７５】
ステップＳ１１２では、中断指示送信処理が行なわれる。中断指示送信処理では、制御部７１０が、表示装置Ａの表示モードを、外部画像表示モードから、ＴＶモードに変更する。そして、制御部７１０は、ＴＶ画像を、表示部７３０に表示させる。そして、制御部７１０は、ＨＤＭＩケーブルを介して、前述した中断指示としての切替信号を、コンテンツ再生装置６００へ送信する。そして、再度、ステップＳ１１１の処理が行なわれる。
【００７６】
表示切替処理において、コンテンツ再生装置６００では、まず、ステップＳ１４１の処理が行なわれる。
【００７７】
ステップＳ１４１では、制御部６１０が、中断指示としての切替信号を受信したか否かを判定する。ステップＳ１４１において、ＹＥＳならば、ステップＳ１４２に進む。一方、ステップＳ１４１において、ＮＯならば、再度、ステップＳ１４１の処理が行なわれる。ここでは、中断指示としての切替信号を受信したとして、ステップＳ１４２に進む。
【００７８】
ステップＳ１４２では、状態情報記憶処理が行なわれる。状態情報記憶処理では、制御部６１０が、中断指示としての切替信号を受信したときのコンテンツ再生装置６００の動作状態を示す状態情報（以下、再生装置状態情報ともいう）を、記憶部６２０に記憶させる。
【００７９】
ここで、コンテンツ再生装置６００がＰＣである場合、記憶部６２０に記憶される再生装置状態情報は、たとえば、コンテンツ再生装置６００で実行されているプログラム、当該プログラムの状態等を示す情報である。すなわち、再生装置状態情報は、中断指示としての切替信号を受信したときにおいて、コンテンツ再生装置６００の動作状態を示す情報である。また、再生装置状態情報は、中断指示としての切替信号を受信したときにおいて、コンテンツ再生装置６００が、外部装置へ送信していた画像（以下、中断時画像ともいう）を再現するための情報である。すなわち、中断時画像は、再生装置状態情報が示すコンテンツ再生装置６００の動作状態に応じた画像である。そして、ステップＳ１４３に進む。
【００８０】
ステップＳ１４３では、制御部６１０が、表示装置Ａへの再生装置画像の送信を停止する。そして、ステップＳ１４４に進む。
【００８１】
ステップＳ１４４では、制御部６１０が、制御装置４００を識別するための装置ＩＤ（以下、制御装置ＩＤともいう）を生成する。生成される制御装置ＩＤは、ユニークなＩＤであるとする。ここで、生成された制御装置ＩＤは、一例として、“ＣＴ１０１”であるとする。そして、ステップＳ１４５に進む。
【００８２】
ステップＳ１４５では、対応付け記憶処理が行なわれる。対応付け記憶処理では、制御部６１０が、生成した制御装置ＩＤと、前述した再生装置状態情報とを対応づけて、記憶部６２０に記憶させる。そして、ステップＳ１４６に進む。
【００８３】
ステップＳ１４６では、制御部６１０が、生成した制御装置ＩＤを、無線通信により、制御装置４００へ送信する。そして、表示切替処理におけるコンテンツ再生装置６００の処理は終了する。
【００８４】
表示切替処理において、制御装置４００では、まず、ステップＳ１６１の処理が行なわれる。
【００８５】
ステップＳ１６１では、制御部４１０が、制御装置ＩＤを受信したか否かを判定する。ステップＳ１６１において、ＹＥＳならば、ステップＳ１６２に進む。一方、ステップＳ１６１において、ＮＯならば、再度、ステップＳ１６１の処理が行なわれる。ここでは、無線通信により、制御装置ＩＤ“ＣＴ１０１”を受信したとして、ステップＳ１６２に進む。
【００８６】
ステップＳ１６２では、制御部４１０が、受信した制御装置ＩＤを記憶部４２０に記憶させる。そして、表示切替処理における制御装置４００の処理は終了する。
【００８７】
次に、コンテンツ再生装置６００の記憶部６２０に記憶されている再生装置状態情報に応じた画像（中断時画像）を、表示装置Ｂに表示させるための処理（以下、表示再開処理ともいう）について説明する。
【００８８】
ここで、制御装置４００を所持するユーザが、部屋６０１内から、部屋６０２内に移動し、表示装置Ｂは、制御装置４００と、直接無線通信可能になったとする。なお、制御装置４００の記憶部４２０には、図５のステップＳ１６２の処理により、制御装置ＩＤ“ＣＴ１０１”が記憶されているとする。また、表示装置Ｂの動作モードは、待機モードであるとする。また、制御装置４００の外部に設けられた複数のボタンには、表示装置Ｂの動作モードを、通常モードにするための電源ボタンが含まれるとする。制御装置４００は、電源ボタンが押下されると、表示装置Ｂの動作モードを、通常モードにするための電源オンＲＣ信号を、表示装置Ｂへ送信するとする。
【００８９】
また、コンテンツ再生装置６００の記憶部６２０には、図５のステップＳ１４５の処理により、制御装置ＩＤ“ＣＴ１０１”と、再生装置状態情報とが対応づけて記憶されているとする。
【００９０】
図６は、表示再開処理のフローチャートである。図６は、制御装置４００、表示装置Ｂおよびコンテンツ再生装置６００の各々において行なわれる処理を示す。
【００９１】
表示再開処理において、制御装置４００では、まず、ステップＳ２６１の処理が行なわれる。
【００９２】
ステップＳ２６１では、制御部４１０が、電源オン操作があるか否かを判定する。電源オン操作は、ユーザによる、制御装置４００の外部に設けられた電源ボタンを押下する操作である。ステップＳ２６１において、ＹＥＳならば、ステップＳ２６２に進む。一方、ステップＳ２６１において、ＮＯならば、再度、ステップＳ２６１の処理が行なわれる。ここでは、電源オン操作があったとして、ステップＳ２６２に進む。
【００９３】
ステップＳ２６２では、制御部４１０が、電源オン指示としての電源オンＲＣ信号を、表示装置Ｂへ送信する。なお、送信される電源オンＲＣ信号には、記憶部４２０に記憶されている、制御装置ＩＤ“ＣＴ１０１”が含まれるとする。そして、再度、ステップＳ２６１の処理が行なわれる。
【００９４】
表示再開処理において、表示装置Ｂでは、まず、ステップＳ２１１の処理が行なわれる。
【００９５】
ステップＳ２１１では、制御部７１０が、電源オン指示としての電源オンＲＣ信号を受信したか否かを判定する。ステップＳ２１１において、ＹＥＳならば、ステップＳ２１２に進む。一方、ステップＳ２１１において、ＮＯならば、再度、ステップＳ２１１の処理が行なわれる。ここでは、制御装置ＩＤ“ＣＴ１０１”を含む、電源オン指示としての電源オンＲＣ信号を受信したとして、ステップＳ２１２に進む。
【００９６】
ステップＳ２１２では、通常モード設定処理が行なわれる。通常モード設定処理では、制御部７１０が、表示装置Ｂの動作モードを、待機モードから通常モードに設定する。また、制御部７１０は、表示装置Ｂの表示モードを、外部画像表示モードに設定する。この処理により、表示装置Ｂは、外部装置から受信した画像を表示することが可能となる。そして、ステップＳ２１３に進む。
【００９７】
ステップＳ２１３では、制御部７１０が、受信した電源オンＲＣ信号に含まれる制御装置ＩＤ“ＣＴ１０１”を、ＨＤＭＩケーブルを介して、コンテンツ再生装置６００へ送信する。そして、ステップＳ２１３の処理は終了する。
【００９８】
表示再開処理において、コンテンツ再生装置６００では、まず、ステップＳ２４１の処理が行なわれる。
【００９９】
ステップＳ２４１では、制御部６１０が、記憶部６２０に記憶されている制御装置ＩＤと同じ装置ＩＤを受信したか否かを判定する。ステップＳ２４１において、ＹＥＳならば、ステップＳ２４２に進む。一方、ステップＳ２４１において、ＮＯならば、再度、ステップＳ２４１の処理が行なわれる。ここでは、表示装置Ｂから、ＨＤＭＩケーブルを介して、記憶部６２０に記憶されている制御装置ＩＤ“ＣＴ１０１”と同じ装置ＩＤを受信したとして、ステップＳ２４２に進む。
【０１００】
ステップＳ２４２では、制御部６１０が、記憶部６２０に記憶されている、受信した制御装置ＩＤに対応づけられた再生装置状態情報を使用して、前述した中断時画像を生成し、生成した中断時画像を、ＨＤＭＩケーブルを介して、表示装置Ｂへ送信する。前述したように、中断時画像は、再生装置状態情報が示すコンテンツ再生装置６００の動作状態に応じた画像である。
【０１０１】
表示再開処理において、表示装置Ｂでは、ステップＳ２１３の処理の後、ステップＳ２１４に進む。
【０１０２】
ステップＳ２１４では、画像表示処理が行なわれる。画像表示処理では、制御部７１０が、コンテンツ再生装置６００から送信される中断時画像を、表示部７３０に表示させる。
【０１０３】
以上説明したように、本実施の形態では、コンテンツ再生装置６００が、表示装置Ａから、中断指示としての切替信号を受信したときのコンテンツ再生装置６００の動作状態に応じた画像（中断時画像）を、部屋６０１内にある表示装置Ａとは別の部屋６０２内にある表示装置Ｂに表示することができる。これにより、たとえば、部屋６０１内で、制御装置４００を使用して、コンテンツ再生装置６００を制御していたユーザが、部屋６０２へ移動する必要が生じた場合、部屋６０２内で、制御装置４００を使用して、コンテンツ再生装置６００の制御の続きをするといったことも可能となる。したがって、複数の表示装置へ画像を送信可能な環境において、利便性のよい環境を提供することができるという効果を奏する。
【０１０４】
＜第２の実施の形態＞
本実施の形態では、第１の実施の形態とは異なる方法により、ある表示装置（以下、表示装置Ａともいう）に表示していた画像を、表示装置Ａとは別の表示装置に表示するための処理について説明する。
【０１０５】
本実施の形態における画像処理システムは、図１の画像処理システム１０００と同様なので詳細な説明は繰り返さない。コンテンツ再生装置６００、表示装置７００（表示装置７００．１、表示装置７００．２）および制御装置４００の各々の構成は、第１の実施の形態において説明した構成と同様なので詳細な説明は繰り返さない。
【０１０６】
（表示処理）
次に、表示装置Ａに表示していた画像を、表示装置Ｂに表示するための処理について説明する。前述したように、表示装置Ａおよび表示装置Ｂは、それぞれ、表示装置７００．１および表示装置７００．２であるとする。
【０１０７】
ここで、コンテンツ再生装置６００は、ゲーム機であるとする。この場合、制御装置４００は、たとえば、ゲーム機としてのコンテンツ再生装置６００を制御するためのコントローラーであるとする。また、コンテンツ再生装置６００は、コンテンツ再生装置６００の動作状態に応じた画像（以下、再生装置画像ともいう）を、ＨＤＭＩケーブルを介して、表示装置Ａへ送信しているとする。また、表示装置Ａの表示モードは、外部画像表示モードであるとする。以下においては、コンテンツ再生装置６００が、ゲーム機である場合、前述の再生装置画像を、ゲーム画像ともいう。
【０１０８】
まず、表示装置Ａの表示部７３０に表示されている画像を、ＴＶ画像に切替えるための処理（以下、表示切替処理Ａともいう）について説明する。ここで、表示装置Ａは、表示部７３０にゲーム画像が表示されると、表示装置Ａの装置ＩＤ（以下、表示装置ＩＤともいう）を、制御装置４００へ送信するとする。表示装置Ａの表示装置ＩＤは、“ＴＡ−１”であるとする。
【０１０９】
図７は、表示切替処理Ａのフローチャートである。図７は、表示装置Ａ、コンテンツ再生装置６００および制御装置４００の各々において行なわれる処理を示す。
【０１１０】
表示切替処理Ａにおいて、表示装置Ａでは、まず、ステップＳ３１０の処理が行なわれる。
【０１１１】
ステップＳ３１０では、図５のステップＳ１１０と同様に画像表示処理Ｎが行なわれるので詳細な説明は繰り返さない。ここで、コンテンツ再生装置６００が、ゲーム機であるとする。この場合、ステップＳ３１０の処理により、表示部７３０に表示される再生装置画像は、ゲーム画像である。そして、ステップＳ３１０Ａに進む。
【０１１２】
ステップＳ３１０Ａでは、制御部７１０が、表示装置Ａの表示装置ＩＤ“ＴＡ−１”を、制御装置４００へ送信する。そして、このステップＳ３１０Ａの処理は終了する。
【０１１３】
表示切替処理Ａにおいて、制御装置４００では、まず、ステップＳ３６１の処理が行なわれる。
【０１１４】
ステップＳ３６１では、制御部４１０が、表示装置ＩＤを受信したか否かを判定する。ここで、ステップＳ３６１において、ＹＥＳならば、ステップＳ３６２へ進む。一方、ステップＳ３６１において、ＮＯならば、再度、ステップＳ３６１の処理が行なわれる。ここでは、表示装置ＩＤ“ＴＡ−１”を受信したとして、ステップＳ３６２へ進む。
【０１１５】
ステップＳ３６２では、制御部４１０が、自装置（制御装置４００）の装置ＩＤ（以下、制御装置ＩＤともいう）と、受信した表示装置ＩＤ“ＴＡ−１”とを、無線通信により、コンテンツ再生装置６００へ送信する。ここで、制御装置４００の制御装置ＩＤは、“ＣＴ２０１”であるとする。そして、表示切替処理Ａにおける制御装置４００の処理は終了する。
【０１１６】
表示切替処理Ａにおいて、コンテンツ再生装置６００では、まず、ステップＳ３４１の処理が行なわれる。
【０１１７】
ステップＳ３４１では、制御部６１０が、無線通信により、制御装置４００から、制御装置ＩＤおよび表示装置ＩＤを受信したか否かを判定する。ステップＳ３４１において、ＹＥＳならば、ステップＳ３４２へ進む。一方、ステップＳ３４１において、ＮＯならば、再度、ステップＳ３４１の処理が行なわれる。ここでは、制御装置４００から、制御装置ＩＤ“ＣＴ２０１”および表示装置ＩＤ“ＴＡ−１”を受信したとして、ステップＳ３４２へ進む。
【０１１８】
ステップＳ３４２では、制御部６１０が、受信した制御装置ＩＤおよび表示装置ＩＤを対応づけて、記憶部６２０に記憶させる。この処理により、記憶部６２０には、制御装置ＩＤ“ＣＴ２０１”と、表示装置ＩＤ“ＴＡ−１”とが対応付けて記憶されたとする。そして、ステップＳ３４２の処理は終了する。
【０１１９】
表示切替処理Ａにおいて、表示装置Ａでは、ステップＳ３１０Ａの処理の後、ステップＳ３１１に進む。
【０１２０】
ステップＳ３１１では、図５のステップＳ１１１と同様な処理が行なわれるので詳細な説明は繰り返さない。ステップＳ３１１において、ＹＥＳならば、ステップＳ３１２に進む。一方、ステップＳ３１１において、ＮＯならば、再度、ステップＳ３１１の処理が行なわれる。ここでは、リモートコントローラー３００から表示モード切替ＲＣ信号を受信したとする。この場合、ステップＳ３１１において、ＹＥＳと判定され、ステップＳ３１２に進む。
【０１２１】
ステップＳ３１２では、中断指示送信処理Ａが行なわれる。中断指示送信処理Ａでは、制御部７１０が、表示装置Ａの表示モードを、外部画像表示モードから、ＴＶモードに変更する。そして、制御部７１０は、ＴＶ画像を、表示部７３０に表示させる。そして、制御部７１０は、ＨＤＭＩケーブルを介して、前述した中断指示としての切替信号を、コンテンツ再生装置６００へ送信する。
【０１２２】
また、制御部７１０は、表示モード切替ＲＣ信号を受信した直後の表示装置Ａの動作状態を示す状態情報（以下、表示装置状態情報ともいう）を、コンテンツ再生装置６００へ送信する。表示装置Ａの表示装置状態情報は、たとえば、音声出力部７７０から出力される音声の音量を数値化した音量値を示す情報であるとする。音量値は、一例として、０〜５０の範囲で設定されるとする。ここで、表示装置Ａの音声出力部７７０から出力される音声の音量値が、“２０”に設定されているとする。この場合、送信される表示装置状態情報は、音量値“２０”を示す情報となる。そして、再度、ステップＳ３１１の処理が行なわれる。
【０１２３】
表示切替処理Ａにおいて、コンテンツ再生装置６００では、ステップＳ３４２の処理の後、ステップＳ３５１へ進む。
【０１２４】
ステップＳ３５１では、制御部６１０が、記憶部６２０に記憶されている表示装置ＩＤにより特定される装置から、中断指示としての切替信号および表示装置状態情報を受信したか否かを判定する。ステップＳ３５１において、ＹＥＳならば、ステップＳ３５２に進む。一方、ステップＳ３５１において、ＮＯならば、再度、ステップＳ３５１の処理が行なわれる。
【０１２５】
ここで、記憶部６２０に記憶されている表示装置ＩＤは、“ＴＡ−１”であるとする。また、表示装置ＩＤ“ＴＡ−１”により特定される装置は、表示装置Ａであるとする。また、表示装置Ａから、中断指示としての切替信号および音量値“２０”を示す表示装置状態情報を受信したとする。この場合、ステップＳ３５１において、ＹＥＳと判定されて、ステップＳ３５２に進む。
【０１２６】
ステップＳ３５２では、状態情報記憶処理Ａが行なわれる。状態情報記憶処理Ａでは、制御部６１０が、中断指示としての切替信号を受信したときのコンテンツ再生装置６００の動作状態を示す状態情報（以下、再生装置状態情報ともいう）、および受信した表示装置状態情報を、表示装置ＩＤに対応付けられている制御装置ＩＤ“ＣＴ２０１”と対応づけて、記憶部６２０に記憶させる。すなわち、記憶部６２０には、制御装置ＩＤ“ＣＴ２０１”と、再生装置状態情報と、表示装置状態情報とが対応付けられて記憶される。
【０１２７】
ここで、コンテンツ再生装置６００がゲーム機である場合、記憶部６２０に記憶される再生装置状態情報は、たとえば、コンテンツ再生装置６００で実行されているゲームプログラム、当該ゲームプログラムの状態等を示す情報である。この場合、再生装置状態情報は、たとえば、得点、ステージの情報、使用されているキャラクターの情報等を示す情報である。
【０１２８】
すなわち、再生装置状態情報は、中断指示としての切替信号を受信したときにおいて、コンテンツ再生装置６００の動作状態を示す情報である。また、再生装置状態情報は、中断指示としての切替信号を受信したときにおいて、コンテンツ再生装置６００が、外部装置へ送信していた画像（以下、中断時画像ともいう）を再現するための情報である。すなわち、中断時画像は、再生装置状態情報が示すコンテンツ再生装置６００の動作状態に応じた画像である。そして、ステップＳ３５３に進む。
【０１２９】
ステップＳ３５３では、制御部６１０が、表示装置Ａへの再生装置画像の送信を停止する。この場合、送信が停止される再生装置画像は、ゲーム画像である。そして、表示切替処理Ａにおけるコンテンツ再生装置６００の処理は終了する。
【０１３０】
次に、コンテンツ再生装置６００の記憶部６２０に記憶されている再生装置状態情報に応じた画像（中断時画像）を、表示装置Ｂに表示させるための処理（以下、表示再開処理Ａともいう）について説明する。
【０１３１】
ここで、制御装置４００を所持するユーザが、部屋６０１内から、部屋６０２内に移動し、表示装置Ｂは、制御装置４００と、直接無線通信可能になったとする。また、表示装置Ｂの動作モードは、待機モードであるとする。また、制御装置４００の外部に設けられた複数のボタンには、表示装置Ｂの動作モードを、通常モードにするための電源ボタンが含まれるとする。制御装置４００は、電源ボタンが押下されると、表示装置Ｂの動作モードを、通常モードにするための電源オンＲＣ信号を、表示装置Ｂへ送信するとする。
【０１３２】
また、コンテンツ再生装置６００の記憶部６２０には、図７のステップＳ３５２の処理により、制御装置ＩＤ“ＣＴ２０１”と、再生装置状態情報と、表示装置状態情報とが対応付けられて記憶されているとする。
【０１３３】
図８は、表示再開処理Ａのフローチャートである。図８は、制御装置４００、表示装置Ｂおよびコンテンツ再生装置６００の各々において行なわれる処理を示す。
【０１３４】
表示再開処理Ａにおいて、制御装置４００では、まず、ステップＳ４６１の処理が行なわれる。
【０１３５】
ステップＳ４６１では、図６のステップＳ２６１の処理と同様な処理が行なわれるので詳細な説明は繰り返さない。ステップＳ４６１において、ＹＥＳならば、ステップＳ４６２に進む。一方、ステップＳ４６１において、ＮＯならば、再度、ステップＳ４６１の処理が行なわれる。ここでは、電源オン操作があったとして、ステップＳ４６２に進む。
【０１３６】
ステップＳ４６２では、制御部４１０が、電源オン指示としての電源オンＲＣ信号を、表示装置Ｂへ送信する。なお、送信される電源オンＲＣ信号には、制御装置４００の制御装置ＩＤ“ＣＴ２０１”が含まれるとする。そして、再度、ステップＳ４６１の処理が行なわれる。
【０１３７】
表示再開処理Ａにおいて、表示装置Ｂでは、まず、ステップＳ４１１の処理が行なわれる。
【０１３８】
ステップＳ４１１では、図６のステップＳ２１１と同様な処理が行なわれるので詳細な説明は繰り返さない。ステップＳ４１１において、ＹＥＳならば、ステップＳ４１２に進む。一方、ステップＳ４１１において、ＮＯならば、再度、ステップＳ４１１の処理が行なわれる。ここでは、制御装置ＩＤ“ＣＴ２０１”を含む、電源オン指示としての電源オンＲＣ信号を受信したとして、ステップＳ４１２に進む。
【０１３９】
ステップＳ４１２では、図６のステップＳ２１２の通常モード設定処理と同様な処理が行なわれるので詳細な説明は繰り返さない。この処理により、表示装置Ｂの表示モードは、外部画像表示モードに設定される。また、この処理により、表示装置Ｂは、外部装置から受信した画像を表示することが可能となる。そして、ステップＳ４１３に進む。
【０１４０】
ステップＳ４１３では、制御部７１０が、受信した電源オンＲＣ信号に含まれる制御装置ＩＤ“ＣＴ２０１”を、ＨＤＭＩケーブルを介して、コンテンツ再生装置６００へ送信する。そして、ステップＳ４１３Ａに進む。
【０１４１】
ステップＳ４１３Ａでは、表示装置設定処理Ａが行なわれる。表示装置設定処理Ａでは、制御部７１０が、表示装置Ｂの音声出力部７７０から出力される音声の音量値を、受信した制御装置ＩＤ“ＣＴ２０１”に対応づけて記憶されている再生装置状態情報が示す音量値（たとえば、“２０”）に設定する。この処理により、表示装置Ａが表示モード切替ＲＣ信号を受信した直後に、表示装置Ａの音声出力部７７０から出力されていた音声の音量値を、表示装置Ｂにおいて再現することができる。そして、ステップＳ４１３Ａの処理は終了する。
【０１４２】
表示再開処理Ａにおいて、コンテンツ再生装置６００では、まず、ステップＳ４４１の処理が行なわれる。
【０１４３】
ステップＳ４４１では、制御部６１０が、記憶部６２０に記憶されている制御装置ＩＤと同じ装置ＩＤを受信したか否かを判定する。ステップＳ４４１において、ＹＥＳならば、ステップＳ４４２に進む。一方、ステップＳ４４１において、ＮＯならば、再度、ステップＳ４４１の処理が行なわれる。ここでは、表示装置Ｂから、ＨＤＭＩケーブルを介して、記憶部６２０に記憶されている制御装置ＩＤ“ＣＴ２０１”と同じ装置ＩＤを受信したとして、ステップＳ４４２に進む。
【０１４４】
ステップＳ４４２では、図６のステップＳ２４２の処理と同様な処理が行なわれるので詳細な説明は繰り返さない。この処理により、中断時画像が生成され、生成された中断時画像が、ＨＤＭＩケーブルを介して、表示装置Ｂへ送信される。前述したように、中断時画像は、再生装置状態情報が示すコンテンツ再生装置６００の動作状態に応じた画像である。
【０１４５】
表示再開処理Ａにおいて、表示装置Ｂでは、ステップＳ４１３Ａの処理の後、ステップＳ４１４に進む。
【０１４６】
ステップＳ４１４では、画像表示処理Ａが行なわれる。画像表示処理Ａでは、制御部７１０が、コンテンツ再生装置６００から送信される中断時画像を、表示部７３０に表示させる。なお、中断時画像が音声を伴う画像である場合、制御部７１０は、表示装置設定処理Ａで設定された音量値の音声を、音声出力部７７０から出力する。
【０１４７】
以上説明したように、本実施の形態においても、第１の実施の形態と同様、コンテンツ再生装置６００が、表示装置Ａから、中断指示としての切替信号を受信したときのコンテンツ再生装置６００の動作状態に応じた画像（中断時画像）を、部屋６０１内にある表示装置Ａとは別の部屋６０２内にある表示装置Ｂに表示することができる。これにより、たとえば、部屋６０１内で、制御装置４００を使用して、コンテンツ再生装置６００を制御していたユーザが、部屋６０２へ移動する必要が生じた場合、部屋６０２内で、制御装置４００を使用して、コンテンツ再生装置６００の制御の続きをするといったことも可能となる。したがって、複数の表示装置へ画像を送信可能な環境において、利便性のよい環境を提供することができるという効果を奏する。
【０１４８】
＜第３の実施の形態＞
本実施の形態では、第１および第２の実施の形態とは異なる方法により、ある表示装置（以下、表示装置Ａともいう）に表示していた画像を、表示装置Ａとは別の表示装置に表示するための処理について説明する。
【０１４９】
本実施の形態における画像処理システムは、図１の画像処理システム１０００と同様なので詳細な説明は繰り返さない。コンテンツ再生装置６００、表示装置７００（表示装置７００．１、表示装置７００．２）および制御装置４００の各々の構成は、第１の実施の形態において説明した構成と同様なので詳細な説明は繰り返さない。
【０１５０】
（表示処理）
次に、表示装置Ａに表示していた画像を、表示装置Ｂに表示するための処理について説明する。前述したように、表示装置Ａおよび表示装置Ｂは、それぞれ、表示装置７００．１および表示装置７００．２であるとする。
【０１５１】
ここで、コンテンツ再生装置６００は、ＢＤレコーダーであるとする。この場合、制御装置４００は、たとえば、コンテンツ再生装置６００を制御するためのリモートコントローラーであるとする。また、コンテンツ再生装置６００は、コンテンツ再生装置６００の動作状態に応じた画像（以下、再生装置画像ともいう）を、ＨＤＭＩケーブルを介して、表示装置Ａへ送信しているとする。また、表示装置Ａの表示モードは、外部画像表示モードであるとする。以下においては、コンテンツ再生装置６００が、ＢＤレコーダーである場合、前述の再生装置画像を、ＢＤ画像ともいう。
【０１５２】
まず、表示装置Ａの表示部７３０に表示されている画像を、ＴＶ画像に切替えるための処理（以下、表示切替処理Ｂともいう）について説明する。ここで、制御装置４００は、表示装置Ａの表示部７３０にＢＤ画像が表示されているときに、自装置（制御装置４００）の装置ＩＤ（以下、制御装置ＩＤともいう）を、表示装置Ａへ送信するとする。また、表示装置Ａは、制御装置ＩＤを受信すると、受信した制御装置ＩＤを、ＨＤＭＩケーブルを介して、コンテンツ再生装置６００へ送信するとする。
【０１５３】
図９は、表示切替処理Ｂのフローチャートである。図９は、表示装置Ａ、コンテンツ再生装置６００および制御装置４００の各々において行なわれる処理を示す。
【０１５４】
表示切替処理Ｂにおいて、表示装置Ａでは、まず、ステップＳ５１０の処理が行なわれる。
【０１５５】
ステップＳ５１０では、図５のステップＳ１１０と同様に画像表示処理Ｎが行なわれるので詳細な説明は繰り返さない。ここで、コンテンツ再生装置６００が、ＢＤレコーダーであるとする。この場合、ステップＳ５１０の処理により、表示部７３０に表示される再生装置画像は、ＢＤ画像である。ＢＤ画像は、たとえば、コンテンツ再生装置６００に録画されている映像コンテンツ（番組）を再生した画像であるとする。そして、ステップＳ５１０Ａに進む。
【０１５６】
ステップＳ５１０Ａでは、制御部７１０が、表示通知を、制御装置４００へ送信する。表示通知は、表示部７３０に、再生装置画像が表示されていることを示す通知である。ここで、送信される表示通知は、表示装置Ａの表示部７３０に、再生装置画像としてのＢＤ画像が表示されていることを示す通知であるとする。そして、ステップＳ５１０Ａの処理は終了する。
【０１５７】
表示切替処理Ｂにおいて、制御装置４００では、まず、ステップＳ５６１の処理が行なわれる。
【０１５８】
ステップＳ５６１では、制御部４１０が、表示通知を受信したか否かを判定する。ステップＳ５６１において、ＹＥＳならば、ステップＳ５６２に進む。一方、ステップＳ５６１において、ＮＯならば、再度、ステップＳ５６１の処理が行なわれる。ここでは、表示装置Ａの表示部７３０に、再生装置画像としてのＢＤ画像が表示されていることを示す表示通知を受信したとして、ステップＳ５６２に進む。
【０１５９】
ステップＳ５６２では、制御部４１０が、自装置（制御装置４００）の制御装置ＩＤを、表示装置Ａへ送信する。ここで、制御装置４００の制御装置ＩＤは、“ＣＴ２０１”であるとする。そして、表示切替処理Ｂにおける制御装置４００の処理は終了する。
【０１６０】
表示切替処理Ｂにおいて、表示装置Ａでは、ステップＳ５１０Ａの処理の後、ステップＳ５１０Ｂに進む。
【０１６１】
ステップＳ５１０Ｂでは、制御部７１０が、制御装置４００から、制御装置ＩＤを受信したか否かを判定する。ステップＳ５１０Ｂにおいて、ＹＥＳならば、ステップＳ５１０Ｃに進む。一方、ステップＳ５１０Ｂにおいて、ＮＯならば、再度、ステップＳ５１０Ｂの処理が行なわれる。ここでは、制御装置４００から、制御装置ＩＤ“ＣＴ２０１”を受信したとして、ステップＳ５１０Ｃに進む。
【０１６２】
ステップＳ５１０Ｃでは、制御部７１０が、受信した制御装置ＩＤを、ＨＤＭＩケーブルを介して、コンテンツ再生装置６００へ送信する。そして、ステップＳ５１０Ｃの処理は終了する。
【０１６３】
表示切替処理Ｂにおいて、コンテンツ再生装置６００では、まず、ステップＳ５４１の処理が行なわれる。
【０１６４】
ステップＳ５４１では、制御部６１０が、表示装置Ａから、制御装置ＩＤを受信したか否かを判定する。ステップＳ５４１において、ＹＥＳならば、ステップＳ５４２へ進む。一方、ステップＳ５４１において、ＮＯならば、再度、ステップＳ５４１の処理が行なわれる。ここでは、表示装置Ａから、ＨＤＭＩケーブルを介して、制御装置ＩＤ“ＣＴ２０１”を受信したとして、ステップＳ５４２へ進む。
【０１６５】
ステップＳ５４２では、制御部６１０が、受信した制御装置ＩＤを、記憶部６２０に記憶させる。この処理により、記憶部６２０には、制御装置ＩＤ“ＣＴ２０１”が記憶されたとする。そして、ステップＳ５４２の処理は終了する。
【０１６６】
表示切替処理Ｂにおいて、表示装置Ａでは、ステップＳ５１０Ｃの処理の後、ステップＳ５１１の処理が行なわれる。
【０１６７】
ステップＳ５１１では、図５のステップＳ１１１と同様な処理が行なわれるので詳細な説明は繰り返さない。ステップＳ５１１において、ＹＥＳならば、ステップＳ５１２に進む。一方、ステップＳ５１１において、ＮＯならば、再度、ステップＳ５１１の処理が行なわれる。ここでは、リモートコントローラー３００から表示モード切替ＲＣ信号を受信したとする。この場合、ステップＳ５１１において、ＹＥＳと判定され、ステップＳ５１２に進む。
【０１６８】
ステップＳ５１２では、図７のステップＳ３１２の中断指示送信処理Ａと同様な処理が行なわれるので詳細な説明は繰り返さない。この処理により、表示装置Ａの表示モードが、外部画像表示モードから、ＴＶモードに変更される。また、ＴＶ画像が、表示部７３０に表示される。また、ＨＤＭＩケーブルを介して、前述した中断指示としての切替信号が、コンテンツ再生装置６００へ送信される。
【０１６９】
また、表示モード切替ＲＣ信号を受信した直後の表示装置Ａの動作状態を示す表示装置状態情報が、コンテンツ再生装置６００へ送信される。ここで、表示装置Ａの音声出力部７７０から出力される音声の音量値が、“２０”に設定されているとする。この場合、送信される表示装置状態情報は、音量値“２０”を示す情報となる。そして、再度、ステップＳ５１１の処理が行なわれる。
【０１７０】
表示切替処理Ｂにおいて、コンテンツ再生装置６００では、ステップＳ５４２の処理の後、ステップＳ５５１へ進む。
【０１７１】
ステップＳ５５１では、制御部６１０が、中断指示としての切替信号および表示装置状態情報を受信したか否かを判定する。ステップＳ５５１において、ＹＥＳならば、ステップＳ５５２に進む。一方、ステップＳ５５１において、ＮＯならば、再度、ステップＳ５５１の処理が行なわれる。ここで、表示装置Ａから、中断指示としての切替信号および音量値“２０”を示す表示装置状態情報を受信したとする。この場合、ステップＳ５５１において、ＹＥＳと判定されて、ステップＳ５５２に進む。
【０１７２】
ステップＳ５５２では、状態情報記憶処理Ｂが行なわれる。状態情報記憶処理Ｂでは、制御部６１０が、中断指示としての切替信号を受信したときのコンテンツ再生装置６００の動作状態を示す状態情報（以下、再生装置状態情報ともいう）、および受信した表示装置状態情報を、記憶部６２０に記憶されている制御装置ＩＤ“ＣＴ２０１”と対応づけて、記憶部６２０に記憶させる。すなわち、記憶部６２０には、制御装置ＩＤ“ＣＴ２０１”と、再生装置状態情報と、表示装置状態情報とが対応付けられて記憶される。
【０１７３】
ここで、コンテンツ再生装置６００がＢＤレコーダーである場合、記憶部６２０に記憶される再生装置状態情報は、たとえば、ＢＤレコーダーで再生されている映像コンテンツ（番組）を特定するためのコンテンツＩＤ（たとえば、“ＣＴ１０”）、当該映像コンテンツの先頭からの経過時間（たとえば、“３０分”）等を示す情報である。
【０１７４】
すなわち、再生装置状態情報は、中断指示としての切替信号を受信したときにおいて、コンテンツ再生装置６００の動作状態を示す情報である。また、再生装置状態情報は、中断指示としての切替信号を受信したときにおいて、コンテンツ再生装置６００が、外部装置へ送信していた画像（以下、中断時画像ともいう）を再現するための情報である。すなわち、中断時画像は、再生装置状態情報が示すコンテンツ再生装置６００の動作状態に応じた画像である。そして、ステップＳ５５３に進む。
【０１７５】
ステップＳ５５３では、制御部６１０が、表示装置Ａへの再生装置画像の送信を停止する。この場合、送信が停止される再生装置画像は、ＢＤ画像である。そして、表示切替処理Ｂにおけるコンテンツ再生装置６００の処理は終了する。
【０１７６】
次に、コンテンツ再生装置６００の記憶部６２０に記憶されている再生装置状態情報に応じた画像（中断時画像）を、表示装置Ｂに表示させるための処理（以下、表示再開処理Ｂともいう）について説明する。
【０１７７】
ここで、制御装置４００を所持するユーザが、部屋６０１内から、部屋６０２内に移動し、表示装置Ｂは、制御装置４００と、直接無線通信可能になったとする。また、表示装置Ｂの動作モードは、待機モードであるとする。また、制御装置４００の外部に設けられた複数のボタンには、表示装置Ｂの動作モードを、通常モードにするための電源ボタンが含まれるとする。制御装置４００は、電源ボタンが押下されると、表示装置Ｂの動作モードを、通常モードにするための電源オンＲＣ信号を、表示装置Ｂへ送信するとする。
【０１７８】
また、コンテンツ再生装置６００の記憶部６２０には、図９のステップＳ５５２の処理により、制御装置ＩＤ“ＣＴ２０１”と、再生装置状態情報と、表示装置状態情報とが対応付けられて記憶されているとする。
【０１７９】
図１０は、表示再開処理Ｂのフローチャートである。図１０は、制御装置４００、表示装置Ｂおよびコンテンツ再生装置６００の各々において行なわれる処理を示す。
【０１８０】
表示再開処理Ｂにおいて、制御装置４００では、まず、ステップＳ６６１の処理が行なわれる。
【０１８１】
ステップＳ６６１では、図６のステップＳ２６１の処理と同様な処理が行なわれるので詳細な説明は繰り返さない。ステップＳ６６１において、ＹＥＳならば、ステップＳ６６２に進む。一方、ステップＳ６６１において、ＮＯならば、再度、ステップＳ６６１の処理が行なわれる。ここでは、電源オン操作があったとして、ステップＳ６６２に進む。
【０１８２】
ステップＳ６６２では、図８のステップＳ４６２の処理と同様な処理が行なわれるので詳細な説明は繰り返さない。この処理により、制御装置４００の制御装置ＩＤ“ＣＴ２０１”を含む、電源オン指示としての電源オンＲＣ信号が、表示装置Ｂへ送信される。そして、再度、ステップＳ６６１の処理が行なわれる。
【０１８３】
表示再開処理Ｂにおいて、表示装置Ｂでは、まず、ステップＳ６１１の処理が行なわれる。
【０１８４】
ステップＳ６１１では、図６のステップＳ２１１と同様な処理が行なわれるので詳細な説明は繰り返さない。ステップＳ６１１において、ＹＥＳならば、ステップＳ６１２に進む。一方、ステップＳ６１１において、ＮＯならば、再度、ステップＳ６１１の処理が行なわれる。ここでは、制御装置ＩＤ“ＣＴ２０１”を含む、電源オン指示としての電源オンＲＣ信号を受信したとして、ステップＳ６１２に進む。
【０１８５】
ステップＳ６１２では、図６のステップＳ２１２の通常モード設定処理と同様な処理が行なわれるので詳細な説明は繰り返さない。この処理により、表示装置Ｂの表示モードは、外部画像表示モードに設定される。また、この処理により、表示装置Ｂは、外部装置から受信した画像を表示することが可能となる。そして、ステップＳ６１３に進む。
【０１８６】
ステップＳ６１３では、制御部７１０が、受信した電源オンＲＣ信号に含まれる制御装置ＩＤ“ＣＴ２０１”を、ＨＤＭＩケーブルを介して、コンテンツ再生装置６００へ送信する。そして、ステップＳ６１３Ａに進む。
【０１８７】
ステップＳ６１３Ａでは、図８のステップＳ４１３Ａの表示装置設定処理Ａと同様な処理が行なわれるので詳細な説明は繰り返さない。この処理により、表示装置Ｂの音声出力部７７０から出力される音声の音量値が、受信した制御装置ＩＤ“ＣＴ２０１”に対応づけて記憶されている再生装置状態情報が示す音量値（たとえば、“２０”）に設定される。この処理により、表示装置Ａが表示モード切替ＲＣ信号を受信した直後に、表示装置Ａの音声出力部７７０から出力されていた音声の音量値を、表示装置Ｂにおいて再現することができる。そして、ステップＳ６１３Ａの処理は終了する。
【０１８８】
表示再開処理Ｂにおいて、コンテンツ再生装置６００では、まず、ステップＳ６４１の処理が行なわれる。
【０１８９】
ステップＳ６４１では、図８のステップＳ４４１の処理と同様な処理が行なわれるので詳細な説明は繰り返さない。ステップＳ６４１において、ＹＥＳならば、ステップＳ６４２に進む。一方、ステップＳ６４１において、ＮＯならば、再度、ステップＳ６４１の処理が行なわれる。ここでは、表示装置Ｂから、ＨＤＭＩケーブルを介して、記憶部６２０に記憶されている制御装置ＩＤ“ＣＴ２０１”と同じ装置ＩＤを受信したとして、ステップＳ６４２に進む。
【０１９０】
ステップＳ６４２では、図６のステップＳ２４２の処理と同様な処理が行なわれるので詳細な説明は繰り返さない。この処理により、中断時画像が生成され、生成された中断時画像が、ＨＤＭＩケーブルを介して、表示装置Ｂへ送信される。前述したように、中断時画像は、再生装置状態情報が示すコンテンツ再生装置６００の動作状態に応じた画像である。
【０１９１】
ここで、再生装置状態情報が、ＢＤレコーダーとしてのコンテンツ再生装置６００で再生可能な映像コンテンツ（番組）を特定するためのコンテンツＩＤ“ＣＴ１０”、および、当該映像コンテンツの先頭からの経過時間“３０分”を示す情報であるとする。この場合、中断時画像は、コンテンツＩＤ“ＣＴ１０”に特定される映像コンテンツにおいて、先頭から、“３０分”経過した位置からの再生画像（動画像）となる。
【０１９２】
表示再開処理Ｂにおいて、表示装置Ｂでは、ステップＳ６１３Ａの処理の後、ステップＳ６１４に進む。
【０１９３】
ステップＳ６１４では、図８のステップＳ４１４のと同様に画像表示処理Ａが行なわれるので詳細な説明は繰り返さない。この処理により、コンテンツ再生装置６００から送信される中断時画像が、表示部７３０に表示される。なお、中断時画像が音声を伴う画像である場合、制御部７１０は、表示装置設定処理Ａで設定された音量値の音声を、音声出力部７７０から出力する。以上の処理により、たとえば、表示装置Ａで再生表示されていた映像コンテンツの続きを、表示装置Ｂで見ることができる。
【０１９４】
以上説明したように、本実施の形態においても、第１の実施の形態と同様、コンテンツ再生装置６００が、表示装置Ａから、中断指示としての切替信号を受信したときのコンテンツ再生装置６００の動作状態に応じた画像（中断時画像）を、部屋６０１内にある表示装置Ａとは別の部屋６０２内にある表示装置Ｂに表示することができる。これにより、たとえば、部屋６０１内で、制御装置４００を使用して、コンテンツ再生装置６００を制御していたユーザが、部屋６０２へ移動する必要が生じた場合、部屋６０２内で、制御装置４００を使用して、コンテンツ再生装置６００の制御の続きをするといったことも可能となる。したがって、複数の表示装置へ画像を送信可能な環境において、利便性のよい環境を提供することができるという効果を奏する。
【０１９５】
なお、本発明の第１、第２および第３の実施の形態においては、表示装置７００.１および表示装置７００.２は、それぞれ、別々の部屋である部屋６０１および部屋６０２にあるとして説明した。しかしながら、これに限定されることなく、表示装置７００.１および表示装置７００.２は、視聴位置は異なるが同じ部屋内にあってもよい。
【０１９６】
（機能ブロック図）
図１１は、第１の実施の形態、第２の実施の形態および第３の実施の形態における、制御部６１０および制御部７１０の機能ブロック図である。図１１を参照して、制御部６１０は、送信部６１１と、受信部６１２と、格納部６１３とを含む。制御部７１０は、表示装置送信部７１１を含む。
【０１９７】
ここで、記憶部６２０は、制御装置４００を識別するための識別情報を記憶する。
送信部６１１は、コンテンツ再生装置６００の動作状態に応じた画像を、表示装置Ａへ送信する。
【０１９８】
表示装置Ａの表示部７３０は、コンテンツ再生装置６００から送信された画像を表示する。表示装置送信部７１１は、画像の送信の中断を指示する中断指示を、コンテンツ再生装置６００へ送信する。
【０１９９】
受信部６１２は、中断指示を受信する。格納部６１３は、受信部６１２が中断指示を受信した場合、識別情報と、中断指示を受信したときのコンテンツ再生装置６００の動作状態を示す状態情報とを対応付けて記憶部６２０に記憶させる。送信部６１１は、受信部６１２が識別情報を受信した場合、記憶部６２０に記憶されている状態情報が示すコンテンツ再生装置６００の動作状態に応じた画像を、表示装置Ｂへ送信する。表示装置Ｂの表示部７３０は、コンテンツ再生装置６００から送信された画像を表示する。
【０２００】
なお、制御部６１０に含まれる、送信部６１１、受信部６１２および格納部６１３の全てまたは一部は、ハードウエアで構成されてもよい。また、送信部６１１、受信部６１２および格納部６１３の全てまたは一部は、制御部６１０により実行されるプログラムのモジュールであってもよい。
【０２０１】
また、制御部７１０に含まれる、表示装置送信部７１１は、ハードウエアで構成されてもよい。また、表示装置送信部７１１は、制御部７１０により実行されるプログラムのモジュールであってもよい。
【０２０２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０２０３】
【図１】本実施の形態における画像処理システムの構成を示す図である。
【図２】コンテンツ再生装置の内部構成を示したブロック図である。
【図３】表示装置の内部構成を示したブロック図である。
【図４】制御装置の内部構成を示したブロック図である。
【図５】表示切替処理のフローチャートである。
【図６】表示再開処理のフローチャートである。
【図７】表示切替処理Ａのフローチャートである。
【図８】表示再開処理Ａのフローチャートである。
【図９】表示切替処理Ｂのフローチャートである。
【図１０】表示再開処理Ｂのフローチャートである。
【図１１】第１の実施の形態、第２の実施の形態および第３の実施の形態における、２つの異なる制御部の機能ブロック図である。
【符号の説明】
【０２０４】
７０  ネットワーク、１８０Ａ，１８０Ｂ，１８０Ｃ  プログラム、４００  制御装置、４１０，６１０，７１０  制御部、４２０，６２０，７２０  記憶部、５５５Ａ  記録媒体、６００  コンテンツ再生装置、７３０  表示部、７００．１，７００．２  表示装置、１０００  画像処理システム。
【図１】
2009253749.tif 000003
【図２】
2009253749.tif 000004
【図３】
2009253749.tif 000005
【図４】
2009253749.tif 000006
【図５】
2009253749.tif 000007
【図６】
2009253749.tif 000008
【図７】
2009253749.tif 000009
【図８】
2009253749.tif 000010
【図９】
2009253749.tif 000011
【図１０】
2009253749.tif 000012
【図１１】
2009253749.tif 000013